(57)【要約】【課題】送風機を有して帯電粒子を空気とともに吹き出すことができ、薄型で携行し易い送風装置を提供する。【解決手段】回路基板７には、送風機５及びイオン発生器６を駆動する電気回路を構成する表面実装部品が実装してあり、バッテリ４により電気回路へ電力を供給する。回路基板７の背面側にバッテリ４を、正面側に送風機５を配してある。表面実装部品は、バッテリ４に対面する部分以外、更には送風機５に対面する部分以外の回路基板７の基板面上に実装してある。例えば、背面側にあっては基板面７２ｂ，７２ｃ等に表面実装部品を配置し、正面側にあっては基板面７１ｂ等に表面実装部品を配置することで、送風装置１００を薄型化することができる。【選択図】図４
2014060064.tif 000002
【特許請求の範囲】
【請求項１】
空気の吸込口及び吹出口を有するハウジングに収容されている送風機と、
該送風機によって前記吸込口から吸い込まれた空気を前記吹出口へ通流する通流路と、
帯電粒子を発生させて前記通流路へ放出する帯電粒子発生器とを備え、
前記帯電粒子発生器が発生した帯電粒子を空気とともに前記吹出口から吹き出す送風装置において、
前記送風機及び前記帯電粒子発生器を駆動する電気回路を構成する表面実装部品を実装した回路基板と、
前記電気回路へ電力を供給するバッテリと
を備え、
前記回路基板の一面側に前記バッテリを、他面側に前記送風機を配してあり、
前記表面実装部品は、前記バッテリに対面する部分以外に実装してあることを特徴とする送風装置。
【請求項２】
前記表面実装部品は、前記バッテリ及び前記送風機に対面する部分以外に実装してあることを特徴とする請求項１に記載の送風装置。
【請求項３】
前記回路基板と前記送風機との間に隙間を設けてあり、
前記送風機は、前記基板面に交差する方向を軸心方向とする遠心ファン、及び該遠心ファンを収容し、前記回路基板側に吸気口を、前記遠心ファンの側方に排気口を形成してある収容体を有することを特徴とする請求項１又は請求項２に記載の送風装置。
【請求項４】
前記排気口は、前記軸心方向の開口幅よりも該軸心方向に交差する方向の開口幅が広く、
前記通流路は、前記排気口の前記軸心方向における両周縁部から前記回路基板に沿って延在し、その壁面を対向配置した二つの流路壁、及び前記排気口の前記軸心方向に交差する方向における両周縁部から前記回路基板に沿って延在し、前記流路壁の側端部に連なる二つの流路側壁とで形成された下流側通流路を有することを特徴とする請求項３に記載の送風装置。
【請求項５】
前記下流側通流路の途中部に、前記軸心方向に交差する方向の風向を規制する規制板が設けてあり、
該規制板は、
前記遠心ファンの周縁部が前記排気口から離反していく側の前記流路側壁に寄せて配置してあることを特徴とする請求項４に記載の送風装置。
【請求項６】
前記バッテリは平板状をなし、保護回路を収容した突起部を前記回路基板側に有し、
前記回路基板は前記突起部に対面する箇所を切欠いてあることを特徴とする請求項１から請求項５のいずれか１つに記載の送風装置。
【発明の詳細な説明】
【技術分野】
【０００１】
本発明は、吸い込んだ空気を帯電粒子とともに吹き出す送風装置に関する。
【背景技術】
【０００２】
人の肌弾力を向上させる等の美容の分野において、肌の周囲に帯電粒子を照射する美容器具が種々提案されている。この美容器具は、帯電粒子発生器により帯電粒子を発生させて放出し、帯電粒子を人の肌に照射する。照射された帯電粒子によって、肌表面の水分量が増加する効果が得られるとともに、皮膚のより深い部分（真皮）における保水力を高めて肌弾力を向上する効果がある。
【０００３】
帯電粒子を発生させる方法としては、空気中で放電を行ってＨ+ （Ｈ2 Ｏ）m 、Ｏ2-（Ｈ2 Ｏ）n 等の水分子が凝集した正及び負のイオンを発生させる方法が知られている。ここで、ｍ及びｎは任意の自然数である。また、帯電粒子を発生させる他の方法としては、冷却した電極上における結露等で集めた水に高電圧をかけることにより、霧状の帯電した水粒子（以下、帯電水粒子と表記する。）を発生させる方法等もある。水分子が凝集したイオン、帯電水粒子等の帯電粒子が人の肌に照射されることによって、肌表面にＯＨ基が付着し、肌表面が親水化されて水分子が付着しやすくなるという効果が生じるものと考えられている。
【０００４】
特許文献１には、携帯用に改良された負イオン発生装置が記載されている。この負イオン発生装置は、放出口を有する筐体と、該筐体内部に配置され、帯電粒子としての負イオンを発生する負イオン発生電極と、該負イオン発生電極に負極性の高電圧を印加する高電圧発生回路が組み込まれた高圧基板と、電源となるバッテリとを備える。この負イオン発生装置は、紐などの装着手段を放出口付近に取り付けて顔の下辺りに吊り提げ、イオンを放出させて使用する。使用状態で放出口は筐体の上部側に位置しており、放出口から放出された負イオンが顔へと照射されるというものである。
【先行技術文献】
【特許文献】
【０００５】
【特許文献１】特開２００６−１７９３６３号公報
【発明の概要】
【発明が解決しようとする課題】
【０００６】
しかしながら、特許文献１に記載の従来の負イオン発生装置では、送風手段を用いていないため、放出された帯電粒子は空間中を一様に拡散するため、放出された一部の帯電粒子のみが顔へ照射され、該一部以外の帯電粒子を顔へ照射することができないという問題点があった。
【０００７】
一方、放出する帯電粒子の多くを人の顔へ到達させるためには、送風機によって人の顔の方向に向かう空気の流れを作り、帯電粒子を空気とともに放出すれば良い。しかし、送風機を筐体内に収容するとともに、送風機による空気の通流路を設ける必要があるため、装置の外形寸法が大きくなり、装着し難くなり、ユーザの利便性が低下するという問題点があった。
【０００８】
本発明は斯かる事情に鑑みてなされたものであり、その目的とするところは、送風機を有して帯電粒子を空気とともに吹き出すことができ、薄型で携行し易い送風装置を提供することにある。
【課題を解決するための手段】
【０００９】
本発明に係る送風装置は、空気の吸込口及び吹出口を有するハウジングに収容されている送風機と、該送風機によって前記吸込口から吸い込まれた空気を前記吹出口へ通流する通流路と、帯電粒子を発生させて前記通流路へ放出する帯電粒子発生器とを備え、前記帯電粒子発生器が発生した帯電粒子を空気とともに前記吹出口から吹き出す送風装置において、前記送風機及び前記帯電粒子発生器を駆動する電気回路を構成する表面実装部品を実装した回路基板と、前記電気回路へ電力を供給するバッテリとを備え、前記回路基板の一面側に前記バッテリを、他面側に前記送風機を配してあり、前記表面実装部品は、前記バッテリに対面する部分以外に実装してあることを特徴とする。
【００１０】
本発明にあっては、空気の吸込口及び吹出口を有するハウジングに送風機が収容されており、通流路は、送風機により吸込口から吸い込まれた空気を吹出口へ通流する。帯電粒子発生器は帯電粒子を発生させて通流路へ放出し、帯電粒子が空気とともに吹出口から吹き出される。回路基板には、送風機及び帯電粒子発生器を駆動する電気回路を構成する表面実装部品を実装してあり、バッテリにより電気回路へ電力を供給する。回路基板の一面側にバッテリを、他面側に送風機を配してあり、表面実装部品は、バッテリに対面する部分以外に実装してある。これにより、電気回路を構成する表面実装部品の回路基板上での高さ寸法を含めずに、回路基板の基板面に直交する方向の送風装置の厚みが決まり、送風装置を薄型化することができる。
【００１１】
本発明に係る送風装置は、前記表面実装部品が、前記バッテリ及び前記送風機に対面する部分以外に実装してあることを特徴とする。
【００１２】
本発明にあっては、表面実装部品は、バッテリ及び送風機に対面する部分以外に実装してあるので、送風装置を薄型化することができる。
【００１３】
本発明に係る送風装置は、前記回路基板と前記送風機との間に隙間を設けてあり、前記送風機は、前記基板面に交差する方向を軸心方向とする遠心ファン、及び該遠心ファンを収容し、前記回路基板側に吸気口を、前記遠心ファンの側方に排気口を形成してある収容体を有することを特徴とする。
【００１４】
本発明にあっては、回路基板と送風機との間に隙間を設けてあり、送風機は、基板面に交差する方向を軸心方向とする遠心ファン、及び該遠心ファンを収容し、回路基板側に吸気口を、遠心ファンの側方に排気口を形成してある収容体を有する。これにより、遠心ファンの軸心方向の寸法を小さくすることで送風装置の薄型化が図られる。また、回路基板は、送風機に対面する部分以外に表面実装部品が配してあるので、回路基板と送風機との間の隙間における空気抵抗が小さく送風効率が良い。
【００１５】
本発明に係る送風装置は、前記排気口は、前記軸心方向の開口幅よりも該軸心方向に交差する方向の開口幅が広く、前記通流路は、前記排気口の前記軸心方向における両周縁部から前記回路基板に沿って延在し、その壁面を対向配置した二つの流路壁、及び前記排気口の前記軸心方向に交差する方向における両周縁部から前記回路基板に沿って延在し、前記流路壁の側端部に連なる二つの流路側壁とで形成された下流側通流路を有することを特徴とする。
【００１６】
本発明にあっては、送風機の排気口は、軸心方向の開口幅よりも軸心方向に交差する方向の開口幅が広い。下流側通流路は、排気口の軸心方向における両周縁部から回路基板に沿って延在し、その壁面を対向配置した二つの流路壁、及び排気口の軸心方向に交差する方向における両周縁部から回路基板に沿って延在し、流路壁の側端部に連なる二つの流路側壁とで形成する。これにより、回路基板に沿って下流側通流路が形成されており、回路基板の基板面に直交する方向の送風装置の厚みが薄くなる。また、送風装置の薄型化を図るために、送風機の軸心方向の寸法を小さくした場合にも、送風機の排気口は軸心方向の開口幅よりも軸心方向に交差する方向の開口幅が広い形状とすることで、開口面積を広くして空気抵抗を減らし、送風効率が良くなる。
【００１７】
本発明に係る送風装置は、前記下流側通流路の途中部に、前記軸心方向に交差する方向の風向を規制する規制板が設けてあり、該規制板は、前記遠心ファンの周縁部が前記排気口から離反していく側の前記流路側壁に寄せて配置してあることを特徴とする。
【００１８】
本発明にあっては、下流側通流路の途中部に、軸心方向に交差する方向の風向を規制する規制板が設けてある。規制板は、遠心ファンの周縁部が排気口から離反していく側の流路側壁に寄せて配置してある。送風機の排気口は軸心方向の開口幅よりも軸心方向に交差する方向の開口幅が広い形状としているため、遠心ファンの周縁部が排気口に接近してくる側に対し、排気口から離反していく側で空気の流速が低下する傾向にある。遠心ファンの周縁部が排気口から離反していく側に規制版を設けることで、空気の流速の低下が抑制される。
【００１９】
本発明に係る送風装置は、前記バッテリは平板状をなし、保護回路を収容した突起部を前記回路基板側に有し、前記回路基板は前記突起部に対面する箇所を切欠いてあることを特徴とする。
【００２０】
本発明にあっては、バッテリは平板状をなし、保護回路を収容した突起部を回路基板側に有し、回路基板は突起部に対面する箇所を切欠いてある。これにより、バッテリに突起部がある場合でも、回路基板側の切欠き部分に突起部を嵌めることで、突起部による送風装置の厚みの増加が抑制される。
【発明の効果】
【００２１】
本発明によれば、空気の吸込口及び吹出口を有するハウジングに送風機が収容されており、通流路は、送風機により吸込口から吸い込まれた空気を吹出口へ通流する。帯電粒子発生器は帯電粒子を発生させて通流路へ放出し、帯電粒子が空気とともに吹出口から吹き出される。回路基板には、送風機及び帯電粒子発生器を駆動する電気回路を構成する表面実装部品を実装してあり、バッテリにより電気回路へ電力を供給する。回路基板の一面側にバッテリを、他面側に送風機を配してあり、表面実装部品は、バッテリに対面する部分以外に実装してある。このため、電気回路を構成する表面実装部品の回路基板上での高さ寸法を含めずに、回路基板の基板面に直交する方向の送風装置の厚みが決まり、送風装置を薄型化することができる。
【図面の簡単な説明】
【００２２】
【図１】本発明の実施の形態に係る送風装置の正面側の外観を示す斜視図である。
【図２】送風装置の右側面図である。
【図３】図２のIII−III線から見た送風装置の断面図である。
【図４】図３のIV−IV線から見た送風装置の断面図である。
【図５】下流側通流路を形成する部分の外観を示す斜視図である。
【図６】下流側通流路を形成する部分の内部を示す斜視図である。
【図７】回路基板の背面側の外観を示す斜視図である。
【発明を実施するための形態】
【００２３】
以下、本発明に係る送風装置の実施の形態を図面に基づいて説明する。
【００２４】
図１は本発明の実施の形態に係る送風装置１００の正面側の外観を示す斜視図、図２は送風装置１００の右側面図、図３は図２のIII−III線から見た送風装置１００の断面図、図４は図３のIV−IV線から見た送風装置１００の断面図である。なお、図２において紙面左側は送風装置１００の正面側（前側）、紙面右側は送風装置１００の背面側（後側）であり、紙面垂直方向は送風装置１００の左右方向である。図４において紙面左側は送風装置１００の背面側（後側）、紙面右側は送風装置１００の正面側（前側）であり、紙面垂直方向は送風装置１００の左右方向である。
【００２５】
本実施形態の送風装置１００は、外部から吸い込んだ空気とともに、正イオン及び負イオン（以下、正負イオンという）を外部へ吹き出す機能を有し、吹き出された正負イオンは、人の顔など肌へ照射され、肌に付着して肌表面の水分量を増加し、肌弾力を向上させる。本実施形態の送風装置１００は外形が角柱状をなし、例えば、高さが５０ｍｍ程度、左右方向の幅が３５ｍｍ程度、前後方向の厚みが１０ｍｍ程度と小型であり、携帯用として使用される。
【００２６】
送風装置１００は、ハウジング１、内部シャーシ２、バッテリ４、送風機５、イオン発生器６及び基板７を備える。ハウジング１は縦型で角筒状をなす胴部１１、胴部１１の上端を覆う板状の上板１２、胴部１１の下端を覆う板状の底板１３を備える。胴部１１は、左右両側の中途部やや下寄りに吸込口１１ａを有する。上板１２は、前寄りに吹出口１２ａ，１２ｂを有する。底板１３には、外部電源に接続するためのＵＳＢソケット端子７６及び電源ボタン（図示略）を設けてある。内部シャーシ２は、前シャーシ２ａ及び後シャーシ２ｂを備え、組み合わせた前シャーシ２ａ及び後シャーシ２ｂ内にバッテリ４等を装着してある。内部シャーシ２は、バッテリ４等を装着した状態でハウジング１の胴部１１に挿通される。
【００２７】
バッテリ４は例えば充電可能なリチウムイオン電池等であり、例えば外形が角型等の平板状をなす。バッテリ４は回路基板７の後側に配してある。バッテリ４の上部には過充電や過放電を保護するための保護回路（図示略）が設けてある。保護回路の外形が大きいため、保護回路を収容した突起部４ａがバッテリ４上部の回路基板７側に形成されている。
【００２８】
送風機５は、前後方向に薄い箱形の収容体５０と、前後方向を軸心方向とする遠心ファン５３とを備える。収容体５０は離隔して配置されている矩形状の底板５１，５１、及び底板５１，５１の周縁に連なる側板５２を有する。底板５１，５１は遠心ファン５３の軸心方向の両端側に対応する中央部に吸気口５６，５６が形成してある。側板５２の上部には排気口５７を形成してある。遠心ファン５３は、例えばターボファンであり、前後方向を軸心とするモータ５４と、モータ５４の周縁部分から外向きに形成された多数の羽根５５とを備える。モータ５４によって複数の羽根５５を軸心回りに回転し、軸心方向から吸い込んだ空気を遠心方向へ送出する。遠心ファン５３は、シロッコファン等であってもよく、シロッコファンの場合、複数の羽根を円周上に配置した多翼羽根車を設け、該多翼羽根車をモータ５４により回転させる。
【００２９】
イオン発生器６は、イオンを発生させる針状の放電電極６１ａ，６１ｂ、該放電電極に対向配置された誘電電極（図示略）、高電圧発生回路を配した基板６２を有する。高電圧発生回路は、トランス等を用いた昇圧回路、トランス一次側をオンオフするスイッチング回路等で構成される。高電圧発生回路は、放電電極６１ａに負極性の高電圧を、放電電極６１ｂに正極性の高電圧を印加する。高電圧が印加された放電電極６１ａ及び６２ｂがコロナ放電を起こすことにより、放電電極６１ａで負イオン、放電電極６２ｂで正イオンを発生させる。
【００３０】
放電電極６１ａでは、負イオンとしてのＯ2-（Ｈ2 Ｏ）n （ｎは任意の自然数）を発生し、放電電極６１ｂでは、正イオンとしてのＨ+ （Ｈ2 Ｏ）m （ｍは任意の自然数）を発生する。これらの正負イオンが吹出口１２ａ，１２ｂから吹き出され、人の肌に照射されることによって、肌表面にＯＨ基が付着し、肌表面が親水化されて水分子が付着しやすくなるという効果が生じる。なお、イオン発生器６は矩形板状をなし、他の回路部品に比べて寸法が大きいトランスを収容する凸部６３が中央部前方に形成されている。
【００３１】
次に送風装置１００内で空気が通流する通流路について説明する。送風機５は、回路基板７から隙間を空けて配置してあり、回路基板７と送風機５との間に上流側通流路３１が形成されている。上流側通流路３１は、ハウジング１の左右側部に設けられた吸込口１１ａに通じている。上流側通流路３１から吸気口５６を通して収容体５０の内部空間３２に吸い込まれた空気は、図３の白抜き矢印に示すように排気口５７を通して上方へと通流する。
【００３２】
図５は下流側通流路３３ａ，３３ｂを形成する部分の外観を示す斜視図、図６は下流側通流路３３ａ，３３ｂを形成する部分の内部を示す斜視図である。下流側通流路３３ａ，３３ｂは、前シャーシ２ａの上部における流路壁２２と、該流路壁２２に対向し、イオン発生器６の基板６２を収容する収容体の前方側壁を構成する流路壁２１と、流路壁２１及び２２の側端部に連結する流路側壁２３及び２４とで形成される。
【００３３】
送風機５の排気口５７は、遠心ファン５３の軸心方向の開口幅である開口縁部５７ｃ及び５７ｄ間の距離よりも、軸心方向に交差する方向の開口幅である開口縁部５７ａ及び５７ｂ間の距離が広くしてある。流路壁２１及び２２夫々は、開口縁部５７ｃ及び５７ｄから、回路基板７及び基板６２に沿って延在し、流路側壁２３及び２４夫々は、開口縁部５７ａ及び５７ｂから、回路基板７及び基板６２に沿って延在する。
【００３４】
イオン発生器６の凸部６３は下流側通流路を左右に分岐している。下流側通流路３３ａには、負イオンを発生させる放電電極６１ａが流路壁２１から突き出しており、下流側通流路３３ｂには、正イオンを発生させる放電電極６１ｂが流路壁２１から突き出している。放電電極６１ａで発生させた負イオンは下流側通流路３３ａを流れる空気とともに吹出口１２ａから外部へ吹き出され、放電電極６１ｂで発生させた正イオンは下流側通流路３３ｂを流れる空気とともに吹出口１２ｂから外部へ吹き出される（図３に示す白抜き矢印参照）。
【００３５】
下流側通流路３３ｂには風向規制板２５を設けてある。風向規制板２５は板面が流路壁２１及び２２に直交している。図３に示すように遠心ファン５３の各羽根５５は、モータの回転によって実線矢印Ａのように排気口５７へ接近し、実線矢印Ｂのように排気口５７から離反していく。羽根５５が接近してくる側の開口縁部５７ａ側の下流側通流路３３ａでの空気の流速は、羽根５５が離反していく側の開口縁部５７ｂ側の下流側通流路３３ａでの空気の流速よりも速い。風向規制板２５は開口縁部５７ｂ側の流路側壁２４に寄せて配置してあり、下流側通流路３３ｂの流路幅を狭めることによって、空気の流速を増すように機能する。
【００３６】
次に回路基板７について説明する。図７は回路基板７の背面側の外観を示す斜視図である。回路基板７には、バッテリ４から電力供給を受けて、送風機５のモータ５４を回転駆動させるモータ駆動回路部、イオン発生器６へ電力及び駆動パルス信号を供給して駆動する駆動回路部等の電気回路が実装されている。また、回路基板７の背面側（一面側）にはバッテリ４が配置されている。バッテリ４に対面する基板面７２ａはバッテリ４にほぼ密着するように回路部品７４（表面実装部品）を配置していない。回路部品７４は、基板面７２ａ以外の基板面上に配置している。例えば、回路基板７におけるバッテリ４の下側の基板面７２ｂ、バッテリ４の上側の基板面７２ｃ、バッテリ４の左右両脇の基板面７２ｄ，７２ｄに回路部品７４等を配置する。これらの回路部品７４及びパターン配線により電気回路を構成するが、パターン配線は基板面７２ａに配置されていてもよい。
【００３７】
回路基板７の正面側（他面側）には上述のように隙間を空けて送風機５が配置されている。送風機５との間の隙間は上流側通流路３１を形成するので、空気の流れの抵抗とならないように、送風機５に対面する基板面７１ａには回路部品７３（表面実装部品）を配置していない。例えば、送風機５の下側の基板面７１ｂに、回路部品７３、電源スイッチ７５、外部電源を接続するためのＵＳＢソケット端子７６等を配置している。また、回路基板７はバッテリ４の突起部４ａに対面する箇所を切欠いた切欠部７０を有している。回路基板７の切欠部７０に突起部４ａを嵌めて、バッテリ４が装着可能としてある。
【００３８】
以上のように本実施形態によれば、ハウジング１は、胴部１１の左右両側の中途部やや下寄りに吸込口１１ａを有し、上板１２の前寄りの位置に吹出口１２ａ，１２ｂを有する。ハウジング１の内部には送風機５が収容されている。送風機５により吸込口１１ａから吸い込まれた空気は、上流側通流路３１、送風機５の内部空間３２、下流側通流路３３ａ，３３ｂで形成される通流路を通って、吹出口１２ａ，１２ｂへと通流する。イオン発生器６は正負イオンを発生させて下流側通流路３３ａ，３３ｂへ放出し、正負イオンが空気とともに吹出口１２ａ，１２ｂから吹き出される。回路基板７には、送風機５及びイオン発生器６を駆動する電気回路を構成する回路部品７３，７４（表面実装部品）が実装してあり、バッテリ４により電気回路へ電力を供給する。回路基板７の背面側（一面側）にバッテリ４を、正面側（他面側）に送風機５を配してある。回路部品７３，７４は、バッテリ４に対面する部分以外、更には送風機５に対面する部分以外の回路基板７の基板面上に実装してある。例えば、背面側にあっては基板面７２ｂ，７２ｃ，７２ｄ等に、また正面側にあっては基板面７１ｂ等に回路部品７３，７４等を配置してある。これにより、電気回路を構成する回路部品７３，７４（表面実装部品）の回路基板７上での高さ寸法を含めずに、回路基板７の基板面に直交する方向の送風装置１００の厚みが決まり、送風装置１００を薄型化することができ、携行し易くなる。電気回路７３，７４を構成する回路部品７３，７４（表面実装部品）としては、例えばＬＳＩ（Large Scale Integration）、抵抗、コンデンサ等がある。尚、回路基板７に印刷され、電気回路を構成するパターン配線などは、送風装置１００の厚みへの影響が小さいので、バッテリ４に対面する基板面７２ａ、及び送風機５に対面する基板面７１ａに配置されていてもよい。
【００３９】
また、本実施形態においては、回路基板７と送風機５との間に隙間を設けてあり、該隙間部分を上流側通流路３１としている。送風機５は、回路基板７の基板面に交差する方向を軸心方向とする遠心ファン５３、及び遠心ファン５３を収容し、回路基板７側に吸気口５６を、遠心ファン５３の側方に排気口５７を形成してある収容体５０を有する。これにより、遠心ファン５３の軸心方向の寸法を小さくすることで送風装置１００の薄型化が図られる。また、回路基板７は、送風機５に対面する部分以外に回路部品７３，７４が配してあるので、回路基板７と送風機５との間の隙間で形成される上流側通流路３１における空気抵抗が小さく送風機５による送風効率が良くなる。
【００４０】
また、本実施形態においては、送風機５の排気口５７は、軸心方向の開口幅よりも軸心方向に交差する方向の開口幅が広い。即ち、開口縁部５７ｃ及び５７ｄ間の距離よりも、開口縁部５７ａ及び５７ｂ間の距離が広くしてある。下流側通流路３３ａ，３３ｂは、排気口５７の軸心方向における開口縁部５７ｃ及び５７ｄから回路基板７に沿って延在し、その壁面を対向配置した流路壁２１及び２２、排気口５７の軸心方向に交差する方向における開口縁部５７ａ及び５７ｂから回路基板７に沿って延在し、流路壁２１及び２２の側端部に連なる流路側壁２３及び２４とで形成する。これにより、回路基板７に沿って下流側通流路３３ａ，３３ｂが形成されており、回路基板７の基板面に直交する方向の送風装置１００の厚みが薄くなる。また、送風装置１００の薄型化を図るために、送風機５の軸心方向の寸法を小さくした場合にも、送風機５の排気口５７は軸心方向の開口幅よりも軸心方向に交差する方向の開口幅が広い形状としてあり、開口面積を広くして空気抵抗を減らし、送風機５による送風効率が良好となる。
【００４１】
また、本実施形態においては、下流側通流路３３ｂの途中部に、軸心方向に交差する方向の風向を規制する風向規制板２５が設けてある。風向規制板２５は、遠心ファン５３の羽根５５の周縁部が排気口５７から離反していく側の流路側壁２４に寄せて配置してある。送風機５の排気口５７は軸心方向の開口幅よりも軸心方向に交差する方向の開口幅が広い形状としてあるため、遠心ファン５３の羽根５５の周縁部が排気口５７に接近してくる側（開口縁部５７ａ側）に対し、排気口から離反していく側（開口縁部５７ｂ側）で空気の流速が低下する傾向にある。遠心ファン５３の羽根５５の周縁部が排気口５７から離反していく側に風向規制版２５を設けることで、空気の流速の低下が抑制される。
【００４２】
また、本実施形態においては、バッテリ４は例えば角型等の平板状をなし、保護回路を収容した突起部４ａを回路基板７側に有し、回路基板７は突起部４ａに対面する箇所を切欠いた切欠部７０を有している。これにより、バッテリ４に突起部４ａがある場合でも、回路基板７側の切欠部７０に突起部４ａを嵌めることで、突起部４ａによる送風装置１００の厚みの増加が抑制される。
【００４３】
また、本実施の形態においては、帯電粒子として水分子が凝集したイオンを発生させる形態を示したが、この形態に限られることなく、送風装置１００が帯電水粒子等の帯電粒子を発生させる形態であってもよい。
【００４４】
なお、本発明は、本実施の形態だけに限ることなく、特許請求の範囲に記載された発明の技術的範囲及びそれと均等な範囲に及ぶものとする。
【符号の説明】
【００４５】
１  ハウジング
１１ａ  吸込口
１２ａ，１２ｂ  吹出口
２１，２２  流路壁
２３，２４  流路側壁
２５  風向規制板（規制板）
３１  上流側通流路（隙間）
３３ａ，３３ｂ  下流側通流路（通流路）
４  バッテリ
４ａ  突起部
５  送風機
５０  収容体
５３  遠心ファン
５６  吸気口
５７  排気口
６  イオン発生器（帯電粒子発生器）
７  回路基板
７３，７４  回路部品（表面実装部品）
【図１】
2014060064.tif 000003
【図２】
2014060064.tif 000004
【図３】
2014060064.tif 000005
【図４】
2014060064.tif 000006
【図５】
2014060064.tif 000007
【図６】
2014060064.tif 000008
【図７】
2014060064.tif 000009